(57)【要約】【課題】靴下による舞妓人形とする。【解決手段】対の靴下Ａ、Ａを、その幅方向をズラして重ね、そのウェルトから円柱状に畳み、その円柱体３に輪状の止め片４を嵌め込んだ靴下からなる舞妓人形を模した成形商品である。円柱体３の表側の靴下表面は着物の柄１が施され、同下側の靴下の表面には長襦袢の柄２が施され、止め片４にはひきずり帯５の柄が施されている。円柱体３の上部に舞妓の顔を描いた顔片６を挿し入れる。【選択図】図１
2016209091.tif 000002
【特許請求の範囲】
【請求項１】
対の靴下（Ａ、Ａ）を、その幅方向をズラして重ね、そのウェルトから円柱状に畳み、その円柱体（３）に輪状の止め片（４）を嵌め込んだ靴下からなる人形を模した成形商品であって、
上記円柱体（３）の表側の靴下表面は着物の柄（１）が施され、同下側の靴下の表面には長襦袢の柄（２）が施され、上記止め片（４）には帯の柄が施されており、
上記円柱体（３）の上部に人形の顔を描いた顔片（６）を挿し入れたことを特徴とする靴下からなる人形を模した成形商品。
【請求項２】
上記人形が舞妓である請求項１に記載の靴下からなる人形を模した成形商品。
【発明の詳細な説明】
【技術分野】
【０００１】
この発明は、靴下を畳むことによって、人形に形作られた（造形された）、舞妓等の人形を模した成形商品に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
【０００３】
また、靴下を造形により新たな販売形態として、人形に造形して模したものとする考えが示されている（特許文献３、第１図〜第６図参照）。
【先行技術文献】
【特許文献】
【０００４】
【特許文献１】特開２００２−２０９０３号公報
【特許文献２】特開２０１１−４７０７３号公報
【特許文献３】実開昭６２−１１３５９６号公報
【発明の概要】
【発明が解決しようとする課題】
【０００５】
この発明は、以上の実情の下、靴下を、人形として人気の高い「舞妓（まいこ）」等に模して造形したものとすることを課題とする。
【課題を解決するための手段】
【０００６】
舞妓は、京都の祇園を中心とした花街で、舞踊、御囃子などの芸で宴席に興（きょう）を添えることを仕事とする女性のことで、芸妓の見習い修行段階の者をいう。
その舞妓の衣装は、長襦袢の上に煌びやかな着物（ひきずり）を着用し、その着物にダラリの帯を付けた態様が一般的であり、その褄（つま）を取って長襦袢が見える形で外を歩く姿は有名である。その褄を取るのは、お座敷で舞をするために裾を引きずるような長さで着物を着ているからである。
また、この舞妓の着姿を模した人形、例えば、かぐや姫等も考えられる。
【０００７】
この舞妓等の歩く姿を靴下で表現しようとするのがこの発明であり、そのために、この発明は、対の靴下を、その幅方向をズラして重ね、そのウェルトから円柱状に畳み、その円柱体に輪状の止め片を嵌め込んだ靴下からなる人形であって、前記円柱体の表側の靴下表面は着物の柄が施され、同下側の靴下の表面には長襦袢の柄が施され、上記止め片には帯の柄が施されており、前記円柱体の上部に人形の顔を描いた顔片を挿し入れた構成を採用したのである。
【発明の効果】
【０００８】
この発明は、以上のように構成して、舞妓等に似せた靴下からなる人形商品としたため、靴下としては勿論、贈り物等、特に、外国人の贈り物やおみやげ等として最適な品となる。
【図面の簡単な説明】
【０００９】
【図１】この発明に係る靴下による舞妓を模した人形の一実施形態を示し、（ａ）は正面図、（ｂ）は背面斜視図
【図２Ａ】同実施形態の舞妓人形とする靴下を示し、（ａ）は正面図、（ｂ）は背面図
【図２Ｂ】同実施形態の舞妓人形への畳み方説明図
【図２Ｃ】同実施形態の舞妓人形への畳み方説明図
【図２Ｄ】同実施形態の舞妓人形への畳み方説明図
【図２Ｅ】同実施形態の舞妓人形への畳み方説明図
【図２Ｆ】同実施形態の舞妓人形への畳み方説明図
【図２Ｇ】同実施形態の舞妓人形への畳み方説明図
【図３】同実施形態の包装前の斜視図
【図４】同実施形態の包装状態斜視図
【発明を実施するための形態】
【００１０】
この発明に係る靴下の一実施形態を図１（ａ）、同（ｂ）〜図２Ｇに示し、この靴下Ａは、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の無い物としたが、踵を有するものも採用し得る。
【００１１】
この実施形態は、対の靴下からなり、その対の靴下は、図２Ａに示すように、表裏に同じ模様（柄）１、２が施されており（図２Ａは対の一方の靴下Ａのみを示し、（ａ）が表面、（ｂ）が裏面）、その一面は「お引きずり」の着物の柄１が施され、他面には、長襦袢の柄２が施されている。それらの柄１、２は、舞妓の着物、例えば、春物、夏物、秋物、冬物等と任意である。また、長襦袢の柄２も、着物に合う物を適宜に採用し得る。その着物の柄１及び長襦袢の柄２は、図１に示す、円柱状に巻いた（畳んだ）際、表に出る部分には設けておく必要があり、出ない部分については、省略したり、他の柄等を設けたりすることができる。
【００１２】
この対の靴下Ａを、図２Ｂから図２Ｇに示すように、柄１、２を異ならせてその幅方向をズラして重ね（図２ｂ）、そのウェルトから円柱状に畳む（図２Ｃ→図２Ｄ→図２Ｅ→図２Ｆ→図２Ｇ）。この畳み時、図２Ｆに示すように、内側の靴下Ａの爪先は少し内側に折り込む。この後、その円柱体３に輪状の止め片４を嵌め込み、この嵌め込みによって円柱体３の形状を維持する。止め片４には、ひきずり帯片５をその上端の折り返し片を挿し込んで取付け、そのひきずり帯片５と止め片４でひきずり帯をなす。ひきずり帯片５と止め片４は一枚からなる一体ものとし得る。
その円柱体３の上部に舞妓の顔を描いた顔片６を挿し込んで、図１に示す、舞妓人形とする。なお、上記靴下Ａをウェルトから円柱状に畳む際、顔片６は、図２Ｂに示すようにそのウェルトと他の靴下部分の間に挟み、その後、円柱状に畳むようにしても良い。
【００１３】
この靴下Ａからなる舞妓を模した人形となった成形品Ａ’は、このまま販売したり、図３〜図４に示すように、透明の筒状容器Ｂに収納して販売したりすることができる。図中、ｂは容器Ｂの底蓋であって、舌片ｂ’が成形品Ａ’の下部の畳み層の間に入り込んで、容器Ｂ内の成形品Ａ’を安定させるとともに台座となる。
【００１４】
この実施形態は舞妓人形であったが、かぐや姫、浦島太郎、桃太郎等の日本昔話の登場人物等とし得る。例えば、かぐや姫等の舞妓と同様な着姿をした人形であれば、柄１、２をその顔片６に合わせることによってそれらの人形に模したものとし得る。このとき、その靴下の包装に、その物語の概要（あらすじ）を記載したり、概要が記載された片を封入したりする等を採用することができる。歌舞伎役者の場合は特に女形が好ましい。日本の祭りの法被姿、打ち上げ花火の模様、女子高校生の姿人形、世界の子供の姿人形等としも得る。
【００１５】
因みに、舞妓等の姿は色々であり、対の靴下を、その幅方向をズラして重ね、そのウェルトから円柱状に畳み、その円柱体に輪状の止め片を嵌め込んだ靴下からなる人形を模した成形品であって、前記円柱体の表側の靴下表面は着物の柄が施され、同下側の靴下の表面には長襦袢の柄が施され、上記止め片には帯の柄が施されており、前記円柱体の上部に舞妓等の顔を描いた顔片を挿し入れた構成であれば、この発明に係わり、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１６】
Ａ  靴下
Ａ’  靴下からなる人形を模した成形品
１  表柄
２  裏柄
３  円柱体
４  止め片（帯片）
５  ひきずり帯片
６  顔片
【図１】
2016209091.tif 000003
【図２Ａ】
2016209091.tif 000004
【図２Ｂ】
2016209091.tif 000005
【図２Ｃ】
2016209091.tif 000006
【図２Ｄ】
2016209091.tif 000007
【図２Ｅ】
2016209091.tif 000008
【図２Ｆ】
2016209091.tif 000009
【図２Ｇ】
2016209091.tif 000010
【図３】
2016209091.tif 000011
【図４】
2016209091.tif 000012